【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
ビリングサーバーでトランザクションを管理するための方法において、
ビリングサーバーにおいてマーチャントサーバーから、パラメータを含む第１トランザクションアプリケーションプログラマブルインターフェイス（ＡＰＩ）要求をビリングサーバーで受信し、
前記第１トランザクションＡＰＩ要求に対して、トランザクション状態、ユーザインターフェイステンプレート形式、消費者装置へ表示するためのユーザインターフェイス要素のリスト、及びマーチャントサーバーがとるべき次のアクションを含む第１トランザクション要求応答をビリングサーバーでマーチャントサーバーへ返送し、
移動加入者のサービス総合デジタル網番号（ｍｓｉｓｄｎ）を含む第２トランザクションＡＰＩ要求をビリングサーバーにおいてマーチャントサーバーからビリングサーバーで受信し、
前記第２トランザクションＡＰＩ要求を受信するのに応答して消費者装置とのトランザクションをビリングサーバーで確認し、及び
前記トランザクションが確認された場合には、
ｍｓｉｓｄｎに対応するキャリアサーバーにおけるユーザアカウントに課金する要求をビリングサーバーで送信し、
前記キャリアサーバーへ送信された要求に応答してビリングサーバーにおいてキャリアサーバーからの課金確認をビリングサーバーで受信し、及び
前記課金確認を受信するのに応答して課金結果コールバック通知をビリングサーバーでマーチャントサーバーへ送信する、
ことを含む方法。
【請求項２】
前記第１トランザクションＡＰＩ要求のパラメータは、国、ｄｅｓｃ、マーチャントｉｄ、サービスｉｄ、ｓｉｇ及びタイムスタンプを含む、請求項１に記載の方法。
【請求項３】
前記第１トランザクション要求応答は、前記第２トランザクションＡＰＩ要求に対して必要な“ＵＳＥＲ＿ＩＮＰＵＴ”アクションを含む、請求項１に記載の方法。
【請求項４】
前記第１トランザクション要求応答は、ユニフォームリソースロケータ（ＵＲＬ）を含み、そして前記第２トランザクションＡＰＩ要求は、ビリングサーバーのＵＲＬへ送信される、請求項１に記載の方法。
【請求項５】
前記第２のトランザクションＡＰＩ要求に対して、トランザクション状態ユーザインターフェイステンプレート形式、消費者装置に表示するためのユーザインターフェイス要素のリスト、及びマーチャントサーバーがとるべき次のアクションを含む第２のトランザクション要求応答をビリングサーバーでマーチャントサーバーへ返送することを更に含む、請求項１に記載の方法。
【請求項６】
前記第１トランザクション要求応答は、トランザクション状態を“ＮＯＴ＿ＳＴＡＲＴＥＤ”として及びユーザインターフェイステンプレート形式を“ＩＮＰＵＴ”として返送し、そして前記第２トランザクション要求応答は、トランザクション状態を“ＩＮ＿ＰＲＯＧＲＥＳＳ”として及びユーザインターフェイステンプレート形式を“ＰＲＯＧＲＥＳＳ”として返送する、請求項５に記載の方法。
【請求項７】
ビリングサーバーにおいて第２トランザクションＡＰＩ要求を受信した後にビリングサーバーにおいてマーチャントサーバーからの第３トランザクションＡＰＩ要求をビリングサーバーで受信し、前記第３トランザクションＡＰＩ要求は、トランザクション要求応答の１つに指定されたビリングサーバーにおけるＵＲＬで受信され、及び
前記第３トランザクションＡＰＩ要求に対するトランザクション応答をビリングサーバーで返送し、トランザクション状態は“ＩＮ＿ＰＲＯＧＲＥＳＳ”として返送されそしてユーザインターフェイステンプレート形式は“ＰＲＯＧＲＥＳＳ”である、請求項６に記載の方法。
【請求項８】
ビリングサーバーにおいて第３トランザクションＡＰＩ要求を受信した後にビリングサーバーにおいてマーチャントサーバーからの第４トランザクションＡＰＩ要求を受信し、前記第４トランザクションＡＰＩ要求は、トランザクション要求応答の１つに指定されたビリングサーバーにおけるＵＲＬで受信され、及び
前記第４トランザクションＡＰＩ要求に対するトランザクション応答をビリングサーバーで返送し、トランザクション状態は“ＣＯＭＰＬＥＴＥＤ”として返送されそしてユーザインターフェイステンプレート形式は“ＣＯＭＰＬＥＴＥＤ”である、請求項７に記載の方法。
【請求項９】
コンピュータのプロセッサにより実行されたときに、ビリングサーバーでトランザクションを管理する方法であって、
ビリングサーバーにおいてマーチャントサーバーから、パラメータを含む第１トランザクションアプリケーションプログラマブルインターフェイス（ＡＰＩ）要求をビリングサーバーで受信し、
前記第１トランザクションＡＰＩ要求に対して、トランザクション状態、ユーザインターフェイステンプレート形式、消費者装置へ表示するためのユーザインターフェイス要素のリスト、及びマーチャントサーバーがとるべき次のアクションを含む第１トランザクション要求応答をビリングサーバーでマーチャントサーバーへ返送し、
移動加入者のサービス総合デジタル網番号（ｍｓｉｓｄｎ）を含む第２トランザクションＡＰＩ要求をビリングサーバーにおいてマーチャントサーバーからビリングサーバーで受信し、
前記第２トランザクションＡＰＩ要求を受信するのに応答して消費者装置とのトランザクションをビリングサーバーで確認し、及び
前記トランザクションが確認された場合には、
ｍｓｉｓｄｎに対応するキャリアサーバーにおけるユーザアカウントに課金する要求をビリングサーバーで送信し、
キャリアサーバーへ送信された要求に応答してビリングサーバーにおいてキャリアサーバーからの課金確認をビリングサーバーで受信し、及び
前記課金確認を受信するのに応答して課金結果コールバック通知をビリングサーバーでマーチャントサーバーへ送信する、
ことを含む方法を遂行するインストラクションのセットが記憶された非一時的コンピュータ読み取り可能な媒体。
【請求項１０】
プロセッサと、
プロセッサに接続されたコンピュータ読み取り可能な媒体と、
コンピュータ読み取り可能な媒体に記憶されるマーチャントホスト型勘定モジュールであって、
ビリングサーバーにおいてマーチャントサーバーから、パラメータを含む第１トランザクションアプリケーションプログラマブルインターフェイス（ＡＰＩ）要求を受信し、    前記第１トランザクションＡＰＩ要求に対して、トランザクション状態、ユーザインターフェイステンプレート形式、消費者装置へ表示するためのユーザインターフェイス要素のリスト、及びマーチャントサーバーがとるべき次のアクションを含む第１トランザクション要求応答をビリングサーバーでマーチャントサーバーへ返送し、
移動加入者のサービス総合デジタル網番号（ｍｓｉｓｄｎ）を含む第２トランザクションＡＰＩ要求をビリングサーバーにおいてマーチャントサーバーから受信し、及び
前記第２トランザクションＡＰＩ要求を受信するのに応答して消費者装置とのトランザクションを確認する、
ようにプロセッサにより実行できるマーチャントホスト型勘定モジュールと、
コンピュータ読み取り可能な媒体に記憶されるキャリアビリングモジュールであって、そのトランザクションが確認された場合には、
ｍｓｉｓｄｎに対応するキャリアサーバーにおけるユーザアカウントに課金する要求をビリングサーバーで送信し、
キャリアサーバーへ送信された要求に応答してビリングサーバーにおいてキャリアサーバーからの課金確認を受信し、及び
前記課金確認を受信するのに応答して課金結果コールバック通知をビリングサーバーでマーチャントサーバーへ送信する、
ようにプロセッサにより実行できるキャリアビリングモジュールと、
を備えたビリングサーバー。